(57)【要約】【課題】使用時にミラーが開いた状態となる開閉型の携帯用化粧ケースの提供【解決手段】（イ）一対の表紙とその間にある背表紙とからなる開閉自在のカバーと、（ロ）化粧用品を収容するための凹所を有する収容体、ミラーを保持するミラー保持体、ミラー保持体と収容体とを開閉自在に連結する連結材とを有する本体部と、を具備し、一方の表紙裏面に収容体が固定され、ミラー保持体は他方の表紙の裏側の外側端部のみで表紙に保持され、表紙と表紙とを開くと、ミラー保持体が収容体から離れて、ミラー保持体は、収容体に対して所定の角度で開いた状態でミラーを使用可能とする携帯用化粧ケース。【選択図】  図１
2012239601.tif 000002
【特許請求の範囲】
【請求項１】
（イ）一対の表紙と、表紙と表紙との間にある背表紙とからなり、前記一対の表紙と前記背表紙とのそれぞれの境界を折り曲げ可能にすることにより開閉自在となっているカバーと、
（ロ）化粧用品を収容するための凹所を有する収容体と、ミラーを保持するミラー保持体と、前記収容体と前記ミラー保持体との境界にあり、ミラー保持体と収容体とを開閉自在に連結する連結材とからなる本体部と、を具備し、
前記一対の表紙の一方の表紙裏面に前記収容体が固定されて、
前記ミラー保持体は、前記一対の表紙の他方の表紙裏面の外側端部でのみ前記表紙に保持され、
前記カバーの表紙と表紙とを開くと、前記ミラー保持体が前記収容体から離れて、前記ミラー保持体は、前記収容体に対して、所定の角度で開いた状態でミラーを保持可能とする携帯用化粧ケース。
【請求項２】
請求項１において、前記所定の角度が１００〜１５０°の範囲内にある携帯用化粧ケース。
【請求項３】
請求項１において、前記ミラー保持体が開いたときには、前記ミラー保持体と前記表紙裏面との間に空隙が形成されている携帯用化粧ケース。
【請求項４】
請求項１において、前記背表紙の幅は、前記ミラー保持体の高さと前記収容体の高さを合わせた寸法を有する携帯用化粧ケース。
【請求項５】
請求項４において、前記背表紙の裏面と、前記ミラー保持体の内側端面および前記収容体の内側端面とは接合していない携帯用化粧ケース。
【請求項６】
請求項１において、前記連結材は、前記収容体の内側端面上端と前記ミラー保持体の内側裏面とを連結している携帯用化粧ケース。
【請求項７】
請求項１において、前記収容体裏面の全面が前記表紙裏面に接着剤で固定されている携帯用化粧ケース。
【請求項８】
請求項１において、前記ミラー保持体の外側端部のみが前記表紙裏面に接着剤で固定されている携帯用化粧ケース。
【発明の詳細な説明】
【技術分野】
【０００１】
本発明は、使用時に開き、携帯時に閉じる、ブック型のミラー付き携帯用化粧ケースに関する。より詳細には、使用時に開いたときに所定の角度で開いた状態が固定されることによりミラーの使用を容易にした携帯用化粧ケースに関する。本発明において、携帯用化粧ケースとは、衣服のポケットやハンドバックに入れて携帯できる、ファンデーションなどの化粧品および/またはパフなどの化粧用具を収容した化粧ケースをいう。また、本発明において、化粧品と化粧用具を総称して「化粧用品」ということがある。
【背景技術】
【０００２】
特許文献１の図６は、1対の表紙１１２、１１３、表紙１１２と表紙１１３の間にある背表紙１１４とからなり、表紙１１２と表紙１１３とは開閉自在となっているカバー１１１を備え、一方の表紙１１２裏面にはミラー１１７が保持されたミラー保持体１１８が固定され、他方の表紙１１３裏面には、化粧用品を保持するための凹所１１９、１２０を有する収容体１２１が固定された化粧ケース１２２を開示している。この化粧ケースは、開閉自在となり携帯に便利であるが、開状態になったときにミラーは平面的に置かれるので、使用時には、適当な傾きになるように片手で維持しながら化粧をする必要があった。
【先行技術文献】
【特許文献】
【０００３】
【特許文献１】特開２０１０−９９９０８号公報
【発明の概要】
【発明が解決しようとする課題】
【０００４】
本発明者は、携帯用化粧ケースを開いた状態にしたときに、適当な角度で開いた状態が固定でき、手を用いることなく適当な傾きのミラーを使用しながら化粧ができると便利であると考えた。したがって、本発明の課題は、携帯時には閉じた状態で携帯に便利であり、使用時には開いた状態で、ミラーが適当な傾きで維持され、手を用いてミラーを保持することなく化粧をすることができる携帯用化粧ケースを提供することである。
【課題を解決するための手段】
【０００５】
上記の課題を解決する本発明に係る携帯用化粧ケースは、（イ）一対の表紙と、表紙と表紙との間にある背表紙とからなり、前記一対の表紙と前記背表紙とのそれぞれの境界を折り曲げ可能にすることにより開閉自在となっているカバーと、
（ロ）化粧用品を収容するための凹所を有する収容体と、ミラーを保持するミラー保持体と、前記収容体と前記ミラー保持体との境界にあり、ミラー保持体と収容体とを開閉自在に連結する連結材とからなる本体部と、を具備し、
前記一対の表紙の一方の表紙裏面に前記収容体が固定されて、
前記ミラー保持体は、前記一対の表紙の他方の表紙裏面の外側端部でのみ前記表紙に保持され、
前記カバーの表紙と表紙とを開くと、前記ミラー保持体が、前記収容体から離れて、前記収容体に対して、所定の角度で開いた状態でミラーを保持可能としている。
【０００６】
本発明に係る携帯用化粧ケースにおいて、前記ミラー保持体は、開いた状態において、前記収容体に対して１００〜１５０°の範囲内にある角度で傾斜していることが使用上の便宜から好ましい。  
【０００７】
本発明に係る携帯用化粧ケースにおいて、前記ミラー保持体が開いたときには、前記ミラー保持体と前記表紙裏面との間に空隙が形成されていることが好ましく、これにより開いた状態が安定に固定される。
【０００８】
本発明に係る携帯用化粧ケースにおいて、前記背表紙の幅は、前記ミラー保持体の高さと前記収容体の高さを合わせた寸法を有するのが好ましく、前記背表紙の裏面と前記ミラー保持体の内側端面および前記収容体の内側端面とは接合していないことが好ましい。また、前記連結材は、前記収容体内側の端面上端と前記ミラー保持体の内側裏面とを連結している。これにより、閉じた状態では、収容体面とミラー保持体面とが密着してコンパクトになって携帯性が向上し、開いた状態では適度な角度に固定されてその状態を維持しやすくする。
【０００９】
本発明に係る携帯用化粧ケースにおいて、前記収容体裏面の全面が前記表紙裏面に接着剤で固定されているのが好ましく、前記ミラー保持体の外側端部のみが前記表紙裏面に接着剤で固定されているのが好ましい。これにより、収容体が一方の表紙にずれを生じることなく、しっかりと接着固定され、ミラー保持体の外側端部のみが他方の表紙に接着固定されるので、開いた状態でミラー保持体が適度な角度に固定されてその状態を維持し易くなる。
【発明の効果】
【００１０】
本発明に係る携帯用化粧ケースは、閉じた状態で携帯に便利であり、また、開いた状態で、手を煩わせることなく、適当な角度で開いた状態を維持可能であるので、ミラーを使用しながら化粧を行うことが出来るので便利である。
【図面の簡単な説明】
【００１１】
【図１】本発明に係る携帯用化粧ケースの一態様について、開いた状態を示す斜視図である。
【図２】本発明に係る携帯用化粧ケースの一態様について、閉じた状態を示す斜視図である。
【図３】本発明に係る携帯用化粧ケースのカバーの製造過程の１態様を示す斜視図である。
【図４】本発明に係る携帯用化粧ケースを開いた状態における側面図である。
【図５】ミラー保持体の裏面の全面を一方の表紙に固定し、収容体の内側端面を背表紙裏面に固定した態様を示す斜視図である。
【図６】従来の携帯用化粧ケースの開いた状態を示す斜視図である。
【発明を実施するための形態】
【００１２】
本発明に係る携帯用化粧ケースの１例を図１及び図２に示す。図１は、携帯用化粧ケースの開いた状態、すなわち使用時の状態を示しており、図２は携帯用化粧ケースの閉じた状態、すなわち携帯時の状態を示している。図１から明らかであるように、本発明の携帯用化粧ケースは、使用時において所定の角度で開いた状態が維持されている。図１に示されているように、本発明の携帯用化粧ケースは、第１の表紙１と第２の表紙２との間に背表紙３があり、第１の表紙１、第２の表紙２と背表紙３とのそれぞれの境界で折り曲げ可能になっている。携帯時には、図２に示されているように閉じられ、使用時には図１に示すように開くことが可能になっている。
【００１３】
本発明の携帯用化粧ケースは、
（イ）前記第１の表紙１、第２の表紙２と背表紙３とからなるカバー４と、
（ロ）ミラー７を保持するミラー保持体８、化粧用品を収容する凹所５を備えた収容体６、前記ミラー保持体８と前記収容体６との境界にあり、ミラー保持体８と収容体６とを開閉自在に連結する連結材９とからなる本体部１１と、
から構成されている。
前記収容体６は、前記第２の表紙２の裏面に固定され、前記ミラー保持体８は、該保持体の外側端部１０のみで第１の表紙１の裏面に固定されている。したがって、カバー４の第１の表紙１と第２の表紙２を開くと、前記ミラー保持体８は、前記収容体６から離れて、前記ミラー保持体８は、前記収容体６に対して所定の角度αで開いた状態でミラー７を保持可能にしている。
【００１４】
（カバー）
本発明の携帯用化粧ケースのカバー４は、１対の表紙（第１の表紙１と第２の表紙２）および背表紙３の表面層を形成する、第１の表紙１、第２の表紙２および背表紙３の所定の大きさよりもサイズの大きい装飾性のカバーシートの裏面に、粘着剤とこれを覆う裏当て材とを付着させ、裏当て材には、第１の表紙１、第２の表紙２と背表紙３とが形成される部分のみを手で剥がせるように切り目が形成されている。前記形成される部分を前記カバーシートから剥がして、その部分に第１の表紙１、第２の表紙２および背表紙３をそれぞれ形成する部分に厚紙などの補強用材を貼り付ける。図３には、本発明の携帯用化粧シートのカバー４を製造する過程における１態様を示している。カバー４の表面層を形成するカバーシート２０の裏に取付けられた裏当て材が剥がされて第１の表紙１、第２の表紙２および背表紙３を補強する補強材１６，１７、１８が取り付けられ、第１の表紙１，２と背表紙３との間の境界１５には、粘着剤層１９が露出しており、ここには可撓性の補強材が貼られて、折り曲げ部が形成される。第１の表紙１、第２の表紙２および背表紙３よりも大きいカバーシート２０の縁部２０ａ、２０ｂ、２０ｄ，２０ｅは、内側に折り返され、さらに、その上には適当な紙等により裏張り１４（図１）がされていてもよい（特許文献１参照）。
【００１５】
（本体部）
図１に示されているように、本発明の携帯用化粧ケースの本体部１１は、ミラー７を保持するミラー保持体８と、化粧用品を収容する収容体６と、ミラー保持体８と収容体６とを連結する連結材９とから構成されている。本体部１１は、収容体６とミラー保持体８とをそれぞれ別個に製造し、連結材９により連結して構成する。
【００１６】
（ミラー保持体）
ミラー７よりも若干大きい適当な紙または樹脂製シートに、ミラー７を両面テープ等で取付け、ミラー７の周辺部を装飾性のタック紙等でカバーすることによりミラー保持体８を形成することができる。本発明の携帯用化粧ケースにおいて、ミラー保持体８の裏面は、外側端部１０のみでカバー４の第１の表紙１に接着固定されるので、開いた状態では、接着されていない部分は見えるから、適当な裏当て材１４によりカバーすることが好ましい。
【００１７】
（収容体）
収容体６は、種々の化粧品（ファンデーション、パウダー等）や化粧用具（パフ、筆、ブラシ等）などの化粧用品を収容できる複数の凹所５を備えている。収容する化粧品や化粧用具の形態に合わせて、凹所５の形状、大きさ、深さは適宜選択される。また、収容する化粧品または化粧用具の数によって凹所５の個数は選択される。このような凹所５を設けた収容体６は、所望の厚みのあるプラスチック発泡シートに所望形状の孔をあけて、所望形状の孔のあいた発泡シートの１面を、粘着剤層を介して装飾用紙でカバーし、他の一面には裏当て材を接着することにより、凹所５のある収容体６を形成できる。
【００１８】
（収容体とミラー保持体の厚さ）
収容体６の厚みとミラー保持体８の厚みとを合わせた厚みを、背表紙３の幅とほぼ等しくするのが好ましい。このようにすることにより、ミラー保持体８と収容体６とは、第１の表紙１と第２の表紙２とを閉じたとき、ミラー保持体８と収容体６が密着して重ねあわされて背表紙３の幅と同じ厚みに合体され、本発明の化粧ケースは、図２に示すような、ミラー保持体８と収容体６との間に空隙のない直方体となりコンパクトなものとなる。
【００１９】
（連結材）
別々に形成されたミラー保持体８と収容体６とは、紙、樹脂シート等の連結材９により開閉可能に連結されている。図１に示されているように、この例では、連結材９は、収容体６の内側端面１２に固定されるとともに、ミラー保持体８の内側端部１３の下の保持体裏面１３ａを接着固定することにより、開いた状態のとき、適度な傾斜でミラー保持体８を保持することができる。しかし、この形態に限られることなく、収容体６の内側端面１２を全面接着するのではなく、下側のみを接着固定し、連結材９の固定されていない部分をより大きくしてもよく、また、図１の例では、ミラー保持体８の内側端面１３ｂは接着されていないが、この部分を接着してもよい。開いた状態において、ミラー保持体８は、カバーの第１の表紙１の外側端部１０のみで接着固定されているので、その点以外のミラー保持体８の裏面は、カバー４の第１の表紙１の裏面からは分離し、第１の表紙１裏面とミラー保持体８裏面との間には空隙が形成されている。閉じた状態から開いた状態に移行する過程において、背表紙３がほぼ水平になった姿勢で開いた状態が維持され、ミラーは適度な傾斜となる。
【００２０】
本発明の携帯用化粧ケースにおいて、収容体６の裏面全面は第２の表紙２にしっかり固定されるが、ミラー保持体８は外側端部１０のみで固定され、開いた状態で、第１の表紙１裏面とミラー保持体８裏面との間に空隙が形成されることが重要である。本発明者らは試行錯誤の結果、本発明に到達した。例えば、図５に示すように、収容体３６を表紙３２に、ミラー保持体３８を表紙３１にそれぞれ全面固定し、収容体３６の内側端面４２を背表紙３３に固定した場合、仮の支え４３を外すと、収容体３６に対してミラー保持体３８を適度な角度に開いた状態に保持することはできない。また、図６に示すように、従来の携帯用化粧ケースでは、背表紙１１４を介して、ミラー保持体１１８と収容体１１６とが第1の表紙１１２、第2の表紙１１３にそれぞれ固定され、ミラー保持体の内側端面１１５、収容体の内側端面１１６が背表紙に固定されていない状態になっているので、容易に開くことは出来るが、開いた状態において、ミラー保持体は水平に位置し、片手で適度な傾斜に調節しながら化粧する必要があった。
【００２１】
（開き角度の調整）
収容体６に対するミラー保持体８の傾斜角度は、１００〜１５０°の範囲内、好ましくは、１１０〜１３０°の範囲内、最も好ましくは、図１に示されているように１２０°の傾斜を有することにより、手でミラーの傾斜を調節することなく、化粧をすることができる。図１に示されている化粧ケースの側面の形状は、図４に示されているように多角形を形成している。多角形は、第１の表紙１の長さＡ、背表紙３の長さＢ、収容体６の厚みＣおよびミラー保持体８と連結部材９を合わせた長さＤとからなる各辺から形成されている。これらの長さを適宜選択することにより、開き角度αを適宜選択することができる。
【００２２】
（ミラーの配置）
上記に示した態様は、長方形のミラーを横長に配置しているが、長方形ミラーを縦長に配置してもよい。
【００２３】
（サイズ）
本発明に係る携帯用化粧ケースのサイズは任意であり種々のサイズを取りうるが、一例として、１２〜２０×６〜１０ｃｍ（好ましくは、１６×８ｃｍ）の大きさ、１〜２ｃｍ（好ましくは、１．５ｃｍ）の厚さのものが挙げられ、また、他の一例として、７〜１０ｃｍ×５〜７ｃｍ（好ましくは、８．５×６ｃｍ）の大きさ、１〜２ｃｍ（好ましくは、１．５ｃｍ）の厚さの小型タイプのものであってもよい。
【産業上の利用可能性】
【００２４】
本発明に係る携帯用化粧ケースは、携帯に便利であるともに使用に便利なものである。本明細書に示した形態だけでなく、種々の形態、カラーバリエーションや装飾性の好みに応じたデザインとすることも可能であり、新しいコンセプトによる商品としての提案を図ることができるものであるから、市場に新たな需要を喚起するものとして産業上の利用可能性の高いものであると理解されるべきである。
【００２５】
以上、本発明の好ましい実施態様を例示的に説明したが、当業者であれば、特許請求の範囲に開示した本発明の範囲及び精神から逸脱することなく種々の追加、変更、削除が可能であり、そのようなものも本発明の範囲内に含まれる。
【符号の説明】
【００２６】
１        第１の表紙
２        第２の表紙
３        背表紙
４        カバー
５        化粧用品収容のための凹所
６        収容体
７        ミラー
８        ミラー保持体
９        連結材
１０      ミラー保持体の外側端部
１１      本体部
１２      収容体の内側端面
１３      ミラー保持体の内側端部
１３ａ      ミラー保持体の裏面
１３ｂ      ミラー保持体の内側端面
１４      カバーの裏張り
１５      表紙と背表紙の境界
１６、１７  表紙の補強材
１８      背表紙の補強材
１９      粘着剤層
２０      カバーシート
２０ａ、２０ｂ、２０ｄ、２０ｅ      カバーシートの縁部
３１      第１の表紙
３２      第２の表紙
３３      背表紙
３４      カバー
３６      収容体
３８      ミラー保持体
４１      本体部
４２      収容体の内側端面
４３      仮の支え
１１１  カバーシート
１１２、１１３  表紙
１１４    背表紙
１１５    ミラー保持体の内側端面
１１６    収容体の内側端面
１１７    ミラー
１１８    ミラー保持体
１１９    パフ収容のための凹所
１２０    ファンデーション収容のための凹所
１２１    収容体
１２２    携帯用化粧ケース
α      開いた状態における収容体に対するミラー保持体の角度
Ａ      多角形を構成する第1の表紙の長さ
Ｂ      多角形を構成する背表紙の長さ
Ｃ      多角形を構成する収容体の厚み
Ｄ      多角形を構成するミラー保持体および連結部材の長さ
【図１】
2012239601.tif 000003
【図２】
2012239601.tif 000004
【図３】
2012239601.tif 000005
【図４】
2012239601.tif 000006
【図５】
2012239601.tif 000007
【図６】
2012239601.tif 000008